(57)【特許請求の範囲】
【請求項１】
ステープラーと共に使用されるように適合された外科手術用ステープルアセンブリであって、該外科手術用ステープルアセンブリは、
バックスパンと、該バックスパンから延びる１対のレッグとを有するステープルであって、該レッグの各々は、組織貫入先端で終結している、ステープルと、
該ステープルのレッグを受容するための第一の開口部を有する第一の圧縮部材であって、該第一の圧縮部材は、該ステープラーのカートリッジに取り外し可能に結合されている、第一の圧縮部材と、
該ステープルのレッグを受容するための第二の開口部を有する第二の圧縮部材と
を備え、
該第一の圧縮部材は、該ステープルのレッグによって貫入される組織セクションの第一の面に第一の圧縮力を付与し、該第二の圧縮部材は、該ステープルのレッグによって貫入される該組織セクションの第二の面に第二の圧縮力を付与し、
該第一の圧縮部材は、該ステープルが該カートリッジから排出されたときに、該カートリッジから解放させられる、外科手術用ステープルアセンブリ。
【請求項２】
前記第一の圧縮部材が、ほぼ平坦なプレートであり、該ほぼ平坦なプレートは、前記バックスパンの長さより大きい長さと、前記ステープルを形成する材料の直径より大きい幅とを有し、前記第二の圧縮部材が、プラテンであり、該プラテンは、該ステープルを形成する材料の直径より大きい幅を有する、請求項１に記載の外科手術用ステープルアセンブリ。
【請求項３】
前記プラテンが、前記ステープルの前記組織貫入先端を受容するための少なくとも１つの第三の開口部をさらに備える、請求項２に記載の外科手術用ステープルアセンブリ。
【請求項４】
前記少なくとも１つの第三の開口部が、前記プラテンの中心に位置する、請求項３に記載の外科手術用ステープルアセンブリ。
【請求項５】
前記少なくとも１つの第三の開口部が、前記ステープルの前記組織貫入先端を受容するための楕円形の開口部である、請求項３に記載の外科手術用ステープルアセンブリ。
【請求項６】
前記プレートが付勢部材を備え、該付勢部材が、前記ステープルの前記バックスパンと係合可能であり、該プレートを該バックスパンから離すように付勢する、請求項２に記載の外科手術用ステープルアセンブリ。
【請求項７】
前記付勢部材が板ばねである、請求項６に記載の外科手術用ステープルアセンブリ。
【請求項８】
前記板ばねが前記プレートと一体的に形成されている、請求項７に記載の外科手術用ステープルアセンブリ。
【請求項９】
前記板ばねの一端が前記プレートに固定されている、請求項７に記載の外科手術用ステープルアセンブリ。
【発明の詳細な説明】
【技術分野】
【０００１】
（関連出願の引用）
本願は、２００７年７月１１日に出願された、米国仮出願番号６０／９５９，０５４号の利益および優先権を主張する。この米国仮出願の全内容は、本明細書中に参考として援用される。
【０００２】
本開示は、多部品外科手術用ステープルアセンブリに関する。より特定すると、本開示は、組織のステープル線にわたって均一な圧縮を提供するための、増大した圧縮領域を有する多部品外科手術用ステープルアセンブリに関する。
【背景技術】
【０００３】
管状組織セクションの手術を伴う外科手術処置の間、この管状組織セクションを切断または区分して、これらの組織セクションをステープル留めして閉じることがしばしば必要である。この型の外科手術の１つの例は、管状組織セクションの疾患セクション（例えば、結腸のセクション）を切り出すこと、およびこれらの管状組織セクションの健常な自由端を再度付着させる前に、これらの自由端を一時的にステープル留めして閉じることを包含する。ステープルの線または列は、代表的に、この管状組織セクションを横切って配置される。いくつかの例において、これらの管状組織セクション内に流体圧が残り、そしてこれらの管状組織セクションを横切って配置されたステープル線に応力または力を付与する。
【０００４】
組織線における破損が起こり得、その管腔の内容物が腹腔内に漏出し得、潜在的に、病的状態または死亡状態を引き起こし得る。これらのような破損は、下にある組織とのステープルの相互作用に起因している。漏出部は、組織を通るステープルの貫入穴を通ってか、または圧縮された組織の層自体の間を通ってかのいずれかで、形成され得る。
【０００５】
さらに、ステープル留めされた組織の創傷治癒プロセスの間、これらの組織の機械的強度が経時的に低下し得る。この機械的強度の低下は、組織内の圧縮特性の低下に関連し、漏出の可能性を生じる。さらに、吻合部の漏出圧と、ステープル線接合部と、ステープルにより付与されるクランプ圧の量との間に、関係が存在する。管腔内の圧力が圧縮応力を超える場合、漏出部が形成される。このことは、式Ｐ＞σｔ／ｒによって表され得、この式において、Ｐは、管腔内の圧力であり、σは、圧縮応力であり、ｔは、組織の厚さであり、そしてｒは、管状組織セクションの半径である。
【発明の開示】
【発明が解決しようとする課題】
【０００６】
従って、ステープルアセンブリのステープルレッグの周囲の組織を通る漏出を減少させ得る、ステープルアセンブリを提供することが望ましい。ステープルアセンブリのステープルによって固定される組織の領域にわたって均一な圧縮を付与し得るステープルアセンブリを提供することが、さらに望ましい。ステープル留めされた組織に対する一定の圧縮レベルを維持することによって、下にある組織の機械的強度の損失を補償し得るステープルアセンブリを提供することが、なおさらに望ましい。
【課題を解決するための手段】
【０００７】
上記課題を解決するために、本発明は、例えば以下を提供する：
（項目１）
外科手術用ステープルアセンブリであって、
ステープルであって、バックスパンと、該バックスパンから延びる１対のレッグとを有し、該レッグの各々は、組織貫入先端で終結している、ステープル；
該ステープルのレッグの受容のための第一の開口部を有する第一の圧縮部材；および
該ステープルのレッグの受容のための第二の開口部を有する第二の圧縮部材、
を備え、該第一の圧縮部材は、該ステープルのレッグによって貫入される組織セクションの第一の面に第一の圧縮力を付与し、そして該第二の圧縮部材は、該ステープルのレッグによって貫入される該組織セクションの第二の面に第二の圧縮力を付与する、外科手術用ステープルアセンブリ。
【０００８】
（項目２）
上記第一の圧縮部材が、ほぼ平坦なプレートであり、該ほぼ平坦なプレートは、上記バックスパンの長さより大きい長さおよび上記ステープルを形成する材料の直径より大きい幅を有し、そして上記第二の圧縮部材が、プラテンであり、該プラテンは、該ステープルを形成する材料の直径より大きい幅を有する、項目１に記載の外科手術用ステープルアセンブリ。
【０００９】
（項目３）
上記プラテンが、上記ステープルの上記組織貫入先端の受容のための少なくとも１つの第三の開口部をさらに備える、項目２に記載の外科手術用ステープルアセンブリ。
【００１０】
（項目４）
上記少なくとも１つの第三の開口部が、上記プラテンの中心に位置する、項目３に記載の外科手術用ステープルアセンブリ。
【００１１】
（項目５）
上記少なくとも１つの第三の開口部が、上記ステープルの上記組織貫入先端の受容のための楕円形の開口部である、項目３に記載の外科手術用ステープルアセンブリ。
【００１２】
（項目６）
上記プレートが付勢部材を備え、該付勢部材が、上記ステープルの上記バックスパンと係合可能であり、該プレートを該バックスパンから離すように付勢する、項目２に記載の外科手術用ステープルアセンブリ。
【００１３】
（項目７）
上記付勢部材が板ばねである、項目６に記載の外科手術用ステープルアセンブリ。
【００１４】
（項目８）
上記板ばねが上記プレートと一体的に形成されている、項目７に記載の外科手術用ステープルアセンブリ。
【００１５】
（項目９）
上記板ばねの一端が上記プレートに固定されている、項目７に記載の外科手術用ステープルアセンブリ。
【００１６】
（項目１０）
外科手術用ステープルアセンブリであって、
ステープルであって、バックスパンと、該バックスパンから延びる１対のレッグとを有し、該レッグの各々が、組織貫入先端で終結している、ステープル；および
該ステープルのレッグの受容のための開口部を有するプレートであって、該プレートは、付勢部材を備え、該付勢部材は、該ステープルのバックスパンと係合可能であり、該プレートを該バックスパンから離すように付勢する、プレート、
を備える、外科手術用ステープルアセンブリ。
【００１７】
（項目１１）
上記付勢部材が板ばねである、項目１０に記載の外科手術用ステープルアセンブリ。
【００１８】
（項目１２）
上記板ばねが上記プレートと一体的に形成されている、項目１１に記載の外科手術用ステープルアセンブリ。
【００１９】
（項目１３）
上記板ばねの一端が上記プレートに固定されている、項目１１に記載の外科手術用ステープルアセンブリ。
【００２０】
（項目１４）
外科手術用ステープルアセンブリであって、
ステープルであって、バックスパンと、該バックスパンから延びる１対のレッグとを有し、該レッグの各々は、組織貫入先端で終結している、ステープル；および
プラテンであって、該ステープルのレッグの受容のための第一の開口部、および該ステープルの組織貫入先端の受容のための少なくとも１つの第二の開口部を有する、プラテン、
を備える、外科手術用ステープルアセンブリ。
【００２１】
（項目１５）
上記少なくとも１つの第二の開口部が上記第一の開口部の間に位置している、項目１４に記載の外科手術用ステープルアセンブリ。
【００２２】
（項目１６）
上記少なくとも１つの第二の開口部が上記プラテンの中心に位置している、項目１４に記載の外科手術用ステープルアセンブリ。
【００２３】
（項目１７）
上記少なくとも１つの第二の開口部が、上記ステープルの組織貫入先端の受容のための楕円形開口部である、項目１４に記載の外科手術用ステープルアセンブリ。
【００２４】
（項目１８）
圧縮部材を組み込む外科手術用ステープルアセンブリと共に使用するためのアンビルであって、
プレートであって、第一のステープル曲げポケットと、該第一のステープル曲げポケットから間隔を空けた第二のステープル曲げポケットとを有する、プレート；ならびに
該プレートに形成され、該第一のステープル曲げポケットおよび第二のステープル曲げポケットのうちの一方から延びる、少なくとも１つの凹部であって、該少なくとも１つの凹部は、外科手術用ステープルアセンブリに関連する圧縮部材の端部を受容するように構成されている、少なくとも１つの凹部、
を備える、アンビル。
【００２５】
（項目１９）
上記少なくとも１つの凹部が、上記第一のステープル曲げポケットに隣接して形成された第一の凹部と、上記第二のステープル曲げポケットに隣接して形成された第二の凹部とを備える、項目１８に記載のアンビル。
【００２６】
（項目２０）
上記第一のステープル曲げポケットが、第一の中心点を備え、上記第一の凹部が、第一の凹部中心点を備え、そして上記第二のステープル曲げポケットが、第二の中心点を備え、該第一の中心点、該第一の凹部中心点、および該第二の中心点が、共通の軸に沿って位置する、項目１９に記載のアンビル。
【００２７】
（項目２１）
上記プレートが、上記第一のステープル曲げポケットと第二のステープル曲げポケットとの中間に中心凹部をさらに備え、該中心凹部が、隆起部分を有し、該隆起部分が、上記圧縮部材の中心開口部の下方に位置する、項目１８に記載のアンビル。
【００２８】
ステープル留めされた組織にわたって均一な圧縮を提供するための、多部品外科手術用ステープルアセンブリが提供される。このステープルアセンブリは、一般に、ステープル、ステープルプレート、およびプラテンを備え、このステープルプレートは、ステープル留めされた組織セクションの片側と係合するために、このステープルのバックスパンに接して配置可能であり、そしてこのプラテンは、このステープルの組織貫入先端を受容するためのものであり、そしてステープル留めされた組織セクションの反対側と係合可能である。ステープルプレートおよびプラテンは、ステープルのレッグを受容するための穴を備える。１つの実施形態において、ステープルプレートは、このステープルプレートをステープルのバックスパンから離してステープル留めされた組織の方へと付勢するための付勢部材を備える。
【００２９】
（要旨）
ステープル留めされた組織セクションの両側に均一な圧縮を提供するための、外科手術用ステープルアセンブリが開示される。この外科手術用ステープルアセンブリは、ステープルを備え、このステープルは、バックスパンおよびこのバックスパンから延びる１対のレッグを有し、これらのレッグの各々は、組織貫入先端で終結する。この外科手術用ステープルアセンブリはまた、第一の圧縮部材および第二の圧縮部材を備え、この第一の圧縮部材は、このステープルのレッグの受容のための第一の開口部を有し、そしてこの第二の圧縮部材は、このステープルのレッグの受容のための第二の開口部を有する。使用の際に、第一の圧縮部材は、ステープルのレッグによって貫入される組織セクションの第一の面に第一の圧縮力を付与し、そして第二の圧縮部材は、ステープルのレッグによって貫入される組織セクションの第二の面に第二の圧縮力を付与する。
【００３０】
第一の圧縮部材は、ほぼ平坦なプレートであり、このプレートは、ステープルのバックスパンの長さより大きい長さ、およびステープルを形成する材料の直径より大きい幅を有する。第二の圧縮部材は、プラテンであり、このプラテンは、ステープルを形成する材料の直径より大きい幅を有する。
【００３１】
このプラテンは、好ましくは、ステープルの組織貫入先端を収容するための少なくとも１つの第三の開口部をさらに備える。この少なくとも１つの第三の開口部は、好ましくは、プラテンの中心に隣接して位置する。１つの実施形態において、この少なくとも１つの第三の開口部は、ステープルの組織貫入先端の受容のための、楕円形開口部である。
【００３２】
外科手術用ステープルアセンブリの１つの実施形態において、プレートは、付勢部材を備え、この付勢部材は、ステープルのバックスパンと係合可能であり、このプレートをこのバックスパンから離すように付勢する。１つの実施形態において、この付勢部材は、板ばねである。この板ばねは、プレートと一体的に形成され得るか、あるいはこの板ばねの一端は、このプレートに固定され得る。
【００３３】
ステープルおよびプレートを備える外科手術用ステープルアセンブリもまた開示され、このステープルは、バックスパンおよびこのバックスパンから延びる１対のレッグを有し、これらのレッグの各々は、組織貫入先端で終結し、そしてこのプレートは、このステープルのレッグの受容のための開口部を有する。このプレートは、付勢部材を備え、この付勢部材は、ステープルのバックスパンと係合可能であり、そしてこのプレートをこのバックスパンから離すように付勢する。この付勢部材は、板ばねであり、そして１つの実施形態において、この板ばねは、このプレートと一体的に形成され、一方で、代替の実施形態において、この板ばねの一端は、このプレートに固定される。
【００３４】
ステープルおよびプラテンを備える外科手術用ステープルアセンブリがさらに開示され、このステープルは、バックスパンおよびこのバックスパンから延びる１対のレッグを有し、これらのレッグの各々は、組織貫入先端で終結しており、そしてこのプラテンは、ステープルのレッグの受容のための第一の開口部、およびステープルの組織貫入先端の受容のための少なくとも１つの第二の開口部を有する。
【００３５】
少なくとも１つの第二の開口部は、第一の開口部の間に位置する。好ましくは、少なくとも１つの第二の開口部は、プラテンの中心に位置する。特定の実施形態において、少なくとも１つの第二の開口部は、ステープルの組織貫入先端の受容のための、楕円形開口部である。
【００３６】
圧縮部材を組み込む外科手術用ステープルアセンブリと共に使用するためのアンビルもまた、開示される。このアンビルは、プレートを備え、このプレートは、第一のステープル曲げポケットおよびこの第一のステープル曲げポケットから間隔を空けた第二のステープル曲げポケット、ならびに少なくとも１つの凹部を有し、この凹部は、このプレートに形成され、そして第一のステープル曲げポケットおよび第二のステープル曲げポケットのうちの１つから延びる。この少なくとも１つの凹部は、外科手術用ステープルアセンブリに関連する圧縮部材の端部の受容のために提供される。特定の実施形態において、少なくとも１つの凹部は、第一のステープル曲げポケットに隣接して形成された第一の凹部、および第二のステープル曲げポケットに隣接して形成された第二の凹部を備える。
【００３７】
アンビルの１つの実施形態において、第一のステープル曲げポケットは、第一の中心点を有し、第一の凹部は、第一の凹部中心点を備え、そして第二のステープル曲げポケットは、第二の中心点を備える。第一の中心点と、第一の凹部中心点と、第二の中心点とは、好ましくは、共通の軸に沿って位置する。
【００３８】
プレートは、第一のステープル曲げポケットと第二のステープル曲げポケットとの中間の中心凹部をさらに備える。この中心凹部は、隆起部分を有し、その結果、この隆起部分は、圧縮部材の中心開口部の下方に位置する。
【発明の効果】
【００３９】
本発明により、ステープルアセンブリのステープルレッグの周囲の組織を通る漏出を減少させ得る、ステープルアセンブリが提供される。ステープルアセンブリのステープルによって固定される組織の領域にわたって均一な圧縮を付与し得るステープルアセンブリもまた提供される。ステープル留めされた組織に対する一定の圧縮レベルを維持することによって、下にある組織の機械的強度の損失を補償し得るステープルアセンブリもまた提供される。
【発明を実施するための最良の形態】
【００４０】
本開示の、圧縮が増大した外科手術用ステープルの種々の実施形態が、図面を参照しながら本明細書中に開示される。
【００４１】
（実施形態の詳細な説明）
本開示の外科手術用ステープルアセンブリ、およびこの外科手術用ステープルアセンブリを形成するための関連するアンビルの実施形態が、ここで図面を参照しながら詳細に記載される。図において、同じ番号は、数枚の図の各々において、同じかまたは対応する要素を表す。当該分野において通常であるように、用語「近位」とは、使用者または操作者（すなわち、外科医または医師）に近い方の部品または構成要素をいい、一方で、用語「遠位」とは、使用者から遠い方の部品または構成要素をいう。
【００４２】
最初に図１を参照すると、外科手術用ステープラー１２と共に使用するためのアンビル１０が開示されている。外科手術用ステープラー１２は、開腹外科手術処置のために代表的に使用される型のものであり、そしてピストルグリップハンドル１４を有し、このハンドルは、ハンドル１４から遠位に延びる細長部材１６を有する。細長部材１６は、ほぼＵ字型のアンビル支持体１８で終結する。アンビル１０は、アンビル支持体１８に設置される。外科手術用ステープラー１２はまた、ステープル収容ヘッドまたはステープルカートリッジ２０を備え、このカートリッジは、本明細書中以下でより詳細に記載されるように、複数のステープルを収容する。調節ノブ２２が、ハンドル１４に提供され、このノブは、ステープルカートリッジとアンビルとを接近させて、ステープル留めされるべき組織をこれらの間に捕捉する目的で、公知の様式で、ステープルヘッド２０をアンビル１０に対して移動させるために作動する。トリガ２４が提供され、このトリガは、ステープラー１２を起動させ、そしてステープルヘッド２０からステープルを排出し、組織を通してアンビル１０に入れる。トリガロック２６が提供され、このトリガロックは、トリガ２４の移動を防止し、これによって、外科手術用ステープル１２の尚早な起動を防止する。開腹型の外科手術用ステープラーとして図示されるが、本開示は、任意の型の外科手術用ステープラー（開腹型ステープラーまたは内視鏡型ステープラーのいずれか）において容易に使用され得ることが企図される。また、ステープルヘッドを接近させてステープルを発射するための他の機構が、利用され得る。
【００４３】
ここで図２を参照すると、アンビル１０は、アンビル支持体１８に設置されるアンビルプレート２８を備える。アンビルプレート２８は、複数のステープル成形ポケット３０を規定し、これらのポケットは、ステープルヘッド２０と協働して、ステープルアセンブリを形成し、そしてステープルアセンブリの一部を支持する。アンビルプレートは、整列ピン３２および整列凹部３４を備え、これらが、ステープルヘッド２０の対応する凹部およびピンと協働して、ステープルヘッド２０内に収容されたステープルが、組織のステープル留めの間、ステープル成形ポケット３０と適切に整列することを確実にする。
【００４４】
図３を参照すると、各ステープル成形ポケット３０は、一般に、第一のステープル曲げ凹部またはポケット３６、および第一のステープル曲げポケット３６から間隔を空けた第二のステープル曲げポケット３８を備える。ポケット３６および３８は、ステープルの先端を受容し、そしてこれらの先端を、外科手術用ステープルアセンブリに関連するプラテン４０（ステープル成形ポケット３０内に配置される）の方へと方向付けるために提供される。プラテン４０は、一般的に細長いプレートとして形成され、このプレートは、プラテン４０の第一の端部４４に隣接する第一の穴４２、およびプラテン４０の第二の端部４８に隣接する第二の穴４６を有する。第一の穴４２および第二の穴４６は、これらの穴を通して外科手術用ステープルのレッグを受容し、そしてこれらのレッグを、それぞれ第一のステープル曲げポケット３６および第二のステープル曲げポケット３８内へと方向付けるために提供される。プラテン４０は、開口部５０をさらに備え、この開口部は、ほぼ楕円形の形状であり、そしてプラテン４０に沿って中心に提供される。開口部５０は、ステープルの成形の際に、外科手術用ステープルアセンブリに関連する外科手術用ステープルの組織貫入先端を、本明細書中以下でより詳細に記載される様式で受容するために提供される。
【００４５】
図４に示されるように、ステープル成形ポケット３０は、第一のステープル曲げポケット３６と第二のステープル曲げポケット３８との間に位置する、狭い中心領域または凹部５２を備える。こぶまたは突出部５４が、凹部５２の内部に位置し、外科手術用ステープルアセンブリのステープルを成形する際に補助する。凹部５２は、プラテン４０の開口部５０の真下に位置し、外科手術用ステープルアセンブリに関連する外科手術用ステープルの先端を、プラテン４０の開口部５０に通して方向付ける。
【００４６】
プラテン４０は、ステープル成形ポケット３０内に摩擦により保持される。ステープル成形ポケット３０は、第一のステープル曲げポケット３６に隣接して形成された第一の保持凹部５６、および第二のステープル曲げポケット３８に隣接して形成された第二の保持凹部５８を備える。プラテン４０の第一の端部４４および第二の端部４８は、それぞれステープル成形ポケット３０の第一の保持凹部５６および第二の保持凹部５８の内部に摩擦により保持される。
【００４７】
特定の実施形態において、第一の保持凹部５６は、第一の保持中心点６０を備え、第一のステープル曲げポケット３６は、第一の中心点６２を備え、第二のステープル曲げポケット３８は、中心点６４を備え、そして第二の保持凹部５８は、第二の保持中心点６６を備える。示されるように、この特定の実施形態において、第一の保持中心点６０、第一の中心点６２および第二の中心点６４は、共通の軸Ｘ−Ｘに沿って位置する。好ましい実施形態において、第二の保持中心点６６もまた、共通の軸Ｘ−Ｘに沿って位置する。
【００４８】
ここで図５を参照すると、プラテン４０を備える新規な多部品ステープルアセンブリ６８が開示されており、このアセンブリは、ステープル留めされた組織の両側に沿って、均一な圧縮を提供し得る。ステープルアセンブリ６８は、ほぼＵ字型のステープル７０を備える。ステープル７０は、外科手術の分野において通常使用される公知の型のものであり得、そして一般に、バックスパン７２、およびバックスパン７２の第一の端部７８および第二の端部８０からそれぞれ延びる第一のレッグ７４および第二のレッグ７６を備える。第一のレッグ７４および第二のレッグ７６は、それぞれ、第一の組織貫入先端８２および第二の組織貫入先端８４で終結する。好ましくは、レッグ７４、７６は、バックスパンに対して実質的に垂直であるが、代替例において、これらのレッグは、バックスパンに対してある角度で配置され得る。
【００４９】
ステープル留めされるべき組織の両側に沿って均一な圧縮を提供する目的で、ステープルアセンブリ６８は、ステープルプレート８６をさらに備える。ステープルプレート８６は、ステープルプレート８６の第一の端部９０の第一のプレート穴８８、およびステープルプレート８６の第二の端部９４に形成された第二のプレート穴９２を備える。第一のプレート穴８８および第二のプレート穴９２は、これらの穴を通してステープルレッグ７４および７６を受容するために提供される。プラテン４０およびステープルプレート８６の全体的な長さは、好ましくは、ステープル７０のバックスパン７２より長く、そしてプラテン４０およびステープルプレート８６の幅は、好ましくは、外科手術用ステープル７０を形成する材料の直径より広いことが、留意されるべきである。プラテン４０およびステープルプレート８６の提供は、圧縮領域を増大させることもまた、留意されるべきである。圧縮領域は、プラテン４０およびステープルプレート８６が提供されない場合、外科手術用ステープル７０単独によって、ステープル留めされる組織に提供される。
【００５０】
さしあたり図６を参照すると、プラテン４０が断面で図示されている。示されるように、中心開口部５０は、プラテン４０の第一の穴４２と第二の穴４６との中間に位置する。具体的に図示される実施形態において、中心開口部５０は、プラテン４０の長さに沿って中心に位置し、これによって、組織貫入先端がアンビル１０のステープル成形ポケット３０内で成形される際に、任意の過剰の長さの組織貫入先端８２および８４を受容する。
【００５１】
ここで図７を参照すると、外科手術用ステープル止め装置内で成形される際に、外科手術用ステープル７０は、代表的なＢ字型に整形される。示されるように、外科手術用ステープル７０のレッグ７４は、ステープルプレート８６の第一のプレート穴８８を通過し、そしてプラテン４０の第一の穴４２を通過する。同様に、第二のレッグ７６は、ステープルプレート８６の第二のプレート穴９２を通過し、そしてプラテン４０の第二の穴４６を通過する。アンビル１０のステープル成形ポケット３０内で成形される際に、組織貫入先端７４および７６は、ステープル７０のバックスパン７２の方へと戻るように再度湾曲し、そしてステープル留めされる組織の個々の厚さに依存して、中心開口部５０を通過し得る。このことにより、外科手術用ステープルアセンブリ６８が、種々の厚さの組織に適合することが可能である。例えば、特に薄い組織セクションにおいて使用される場合、組織貫入先端７４および７６の、中心開口部５０を通る通過は、ステープルレッグ７４および７６の任意の過剰の長さを巻き上げ、そしてステープル留めされる組織セクションの完全な圧縮を可能にする。
【００５２】
ここで図８を参照すると、実質的に本明細書中で上に記載されたとおりであるプラテン４０および外科手術用ステープル７０を組み込む外科手術用ステープルアセンブリ９６の代替の実施形態が開示されている。外科手術用ステープルアセンブリ９６は、ステープルプレート９８の代替の実施形態を備え、このプレートは、付勢部材１００を有し、この付勢部材は、ステープルプレート９８を外科手術用ステープル７０のバックスパン７２から強制的に離すために提供される。ステープルプレート９８に付勢部材１００を提供することにより、ステープルプレート９８が一定の程度の圧力を、下にあるステープル留めされる組織に提供することが可能である。このことは、上記のように、ステープル留めされる組織が、圧縮、分解、壊死などに起因して経時的に機械的強度を失う場合に、特に有用である。すなわち、ステープル留めされる組織が経時的に弱くなる場合、外科手術用ステープルアセンブリ９６は、下にある組織セクションが適切に治癒するような時点まで、下にあるステープル留めされた組織セクションを通るあらゆる漏出を防止するために充分な圧縮を提供する。
【００５３】
この特定の実施形態において、付勢部材１００は、ステープルプレート９８と一体的に形成される。ステープルプレート９８は、付勢部材１００に特定の量の曲げを提供し得る任意の適切な材料から形成され得る。付勢部材１００は、スタンピング、成型などによって、ステープルプレート９８に形成され得る。付勢部材１００は、第一の端部１０２を有し、この第一の端部は、ステープルプレート９８の第一の点１０４から延び、そしてステープルプレート９８の第二の点１０８の第二の端部１０６まで延びる。付勢部材１００が、ステープルプレート９８からスタンピングされるか、打ち抜かれるか、または他の様式で切り出される場合、付勢部材１００によって占有される材料は、ステープルプレート９８に形成される開口部１１０を生じる。付勢部材１００は、第一の端部１０２および第二の端部１０６においてステープルプレート９８に接続されているように開示されるが、第一の端部１０２または第二の端部１０６のうちの一方が、ステープルプレート９８から切断されるかまたは他の様式で接続を断たれ、付勢部材１００のより大きい程度の曲げ、従って付勢力を可能にし得ることが留意されるべきである。この例において、付勢部材１００は、一般に、板ばねとして機能する。また、付勢部材は、以下に記載されるように、ステープルのバックスパンに取り付けられた別個の要素として提供され得る。
【００５４】
ステープルプレート９８は、ステープルプレート９８の第一の端部１１４に形成された第一の穴１１２、およびステープルプレート９８の第二の端部１１８に形成された第二の穴１１６をさらに備える。第一の穴１１２および第二の穴１１６は、ステープルプレート８６に関して本明細書中で上に記載された様式と類似の様式で、これらの穴を通してステープルレッグ７４および７６を受容するために提供される。
【００５５】
図９に最もよく示されるように、外科手術用ステープルアセンブリ９６が完全に成形されると、第一のレッグ７４および第二のレッグ７６は、それぞれ、ステープルプレート９８の第一の穴１１２および第二の穴１１６を通り、プレート４０の穴４２および４６を通って（そして組織の厚さに依存して、開口部５０を通って）延びる。外科手術用ステープルアセンブリ６８に関して本明細書中で上に記載されたように、図９の完全に成形されたステープル７０は、ほぼＢ字型を呈し、組織貫入先端８２および８４が、プラテンの第一の穴４２および第二の穴４６を通って延び、そして開口部５０を通って後方に湾曲している。
【００５６】
本明細書中で上で注目されたように、プラテン４０は、最初、アンビル１０内に保持される。本明細書中に開示される全てのステープルアセンブリの実施形態に共通して、外科手術用ステープル７０がアンビル１０のステープル整形ポケット３０内でほぼＢ字型に成形される際に、組織貫入先端８２および８４は、プラテン４０の中心開口部５０の、それぞれ第一の縁部１２０および第二の縁部１２２と係合する。組織貫入先端８２および８４と、縁部１２０および１２２との係合は、プラテン４０をステープル成形ポケット３０内での摩擦ばめから強制的に離すか、または「抜く」ように機能する。他の部品または構造体との接触を利用して、プラテン４０をステープル成形ポケットから解放し得ることもまた理解されるべきである。
【００５７】
ここで図１０および図１１を参照すると、実質的に本明細書中で上に記載されたようなプラテン４０および外科手術用ステープル７０を備える外科手術用ステープルアセンブリ１２４の別の実施形態が開示されている。外科手術用ステープルアセンブリ１２４は、ステープルプレート１２６を備え、このステープルプレートは、ステープルプレート１２６に固定された付勢部材１２８を有する。付勢部材１２８は、溶接、接着などによって、ステープルプレート１２６に固定され得る。本明細書中で上記のような付勢部材１００と同様に、付勢部材１２８は、一端のみでステープルプレート１２６に固定され、板ばねとして機能し得る。さらに、付勢部材１２８は、ステープルプレート１２６とは異なる材料から形成され得る。本明細書中で上に記載されたステープルプレートと同様に、ステープルプレート１２６は、ステープルプレート１２６の第一の端部１３２に形成された第一の穴１３０、およびステープルプレート１２６の第二の端部１３６に形成された第二の穴１３４を備える。本明細書中で上に記載されたステープルプレート９８と同様に、付勢部材１２８は、ステープルプレート１２６をバックスパン７２から離し、外科手術用ステープル７０の方へと推進して、下にあるステープル留めされる組織に対してステープルプレート１２６の一定の圧力を提供するために提供される。
【００５８】
ここで図１２〜図１５を参照し、最初に図１２を参照して、外科手術用ステープラー１２に組み込まれたステープルアセンブリ６８およびアンビル１０の、管状組織Ｔをステープル留めするための使用がここで記載される。ステープルアセンブリ６８およびアンビル１０の使用についての以下の議論は、開腹外科手術型の外科手術用ステープラー１２に関連して与えられるが、ステープルアセンブリ６８およびアンビル１０は、他の型の外科手術用ステープラー（例えば、直線ステープラー、内視鏡ステープラー、腹腔鏡ステープラー、円形ステープラーまたは吻合ステープラーなど）において使用される場合に、同等の用途を見出すことが留意されるべきである。さらに、ステープルアセンブリ６８およびアンビル１０は、管状組織セクション以外の組織をステープル留めする際に使用するためにも同等に適切であり、必ずしも互いに組み合わせて使用される必要はない。
【００５９】
外科手術用ステープラー１２は、本明細書中以下でより詳細に議論される様式でステープルカートリッジ２０内に装填された、複数のステープル７０およびステープルプレート８６を備える。このステープルカートリッジは、好ましくは、取り外し可能であり、そして発射後に、別の装填されたカートリッジと交換可能である。外科手術用ステープラー１２は、最初に、組織セクションＴがアンビル１０とステープルヘッド２０との間に位置するように配置される。その後、調節（接近）ノブ２２が操作されて、ステープルカートリッジ２０をアンビル１０の方へと移動させ、これらの間に組織Ｔを捕捉する。
【００６０】
図１３に示されるように、捕捉された管状組織Ｔは、アンビル１０と接近したステープルカートリッジ２０との間に捕捉され、そして圧縮されて、管状組織Ｔの管腔Ｌを閉じる。ステープルカートリッジ２０をアンビル１０の方へと移動させる際に、アンビルプレート２８上の整列ピン３２がステープルカートリッジ２０の凹部１３８に入り、そしてステープルヘッド２０上のステープルヘッドピン１４０がアンビルプレート２８の整列凹部３４に入り、ステープルレッグ７４および７６の、それぞれステープル曲げポケット３６および３８との適切な整列を確実にする。上で注目されたように、ステープルカートリッジ２０は、１列以上の線状の列に配置された、複数のステープル７０およびステープルプレート８６を備える。具体的には、ステープル７０は、ステープルカートリッジ２０に形成されたステープルポケット（例えば、ステープルポケット１４２）内に収容される。プッシャー１４４が、ステープルポケット１４２内に配置され、このプッシャーは、外科手術用ステープラー１２のトリガ２４の起動に応答して、ステープルポケット１４２内で移動可能である。ステープルポケット１４２内でのプッシャー１４４の移動は、プッシャー１４４をステープル７０のバックスパン７２に係合させ、そしてステープル７０を、ステープルヘッド２０からアンビル１０の方へと駆動する。このカートリッジに収容された複数のステープル７０は、実質的に同時に発射されても、連続的に発射されても、これらの両方の組み合わせであってもよい。
【００６１】
ステープルプレート８６は、ステープルカートリッジ２０に形成されたステープルプレート凹部１４６内に摩擦により保持され、そしてステープルプレート８６をステープル７０の前に配置する目的で、ステープルポケット１４２を覆って配置される。
【００６２】
ここで図１２および図１４を参照すると、一旦、外科手術用ステープラー１２が組織Ｔの周りに配置されると、ロックレバー２６がトリガ２４から係合を外され、そしてトリガ２４が起動され（図１２）、ドライバ（プッシャー）１４４を、ステープルポケット１４２内で遠位に移動させる（図１４）。好都合なために、図１３および図１４は、ステープル留め器具に収容された複数のステープルのうちの１つのみを発射することを示すことが、理解されるべきである。図１４を続けて参照すると、プッシャー１４４は、ステープル７０を、ステープルポケット１４２内で遠位に駆動し、その結果、組織貫入先端８２、８４が、本明細書中で上に記載されたように（図７）ステープルプレート８６の穴８８および９２を通過し、その後、組織Ｔを通る。組織Ｔに貫入した後に、組織貫入先端８２および８４は、プラテン４０の穴４２および４６（図７）を通過し、そしてアンビルプレート２８のステープル曲げポケット３６および３８内で成形される。本明細書中上で注目されたように、突出部５４との先端８２および８４の係合は、先端８２および８４をステープル７０のバックスパン７２の方へと再度湾曲させ、そしてプラテン４０に形成された中心開口部５０を通過させる。
【００６３】
外科手術用ステープラー１２を完全に起動させると、プッシャー１４４は、ステープル７０をステープルポケット１４２から推進し、このステープルが次に、ステープルプレート８６を押して、ステープルヘッド２０のステープルプレート凹部１４６内での摩擦係合から外し、これによって、ステープル７０およびステープルプレート８６をステープルヘッド２０から解放する。本明細書中上で議論されたように、組織貫入先端８２および８４と、プラテン４０の中心開口部５０の縁部との係合は、プラテン４０をステープル成形ポケット３０内での摩擦係合から強制的に離すか、または「抜く」。
【００６４】
完全に成形されて組織Ｔの管腔Ｌを閉じている外科手術用ステープルアセンブリ６８が、図１５に最もよく図示されている。プラテン４０およびステープルプレート８６を外科手術用ステープルアセンブリ６８に提供することにより、より大きくより均一な圧縮領域が組織Ｔに提供される。
【００６５】
さしあたり図１６および図１７を参照すると、外科手術用ステープルアセンブリ９６は、外科手術用ステープルアセンブリ６８に関して本明細書中上に記載された様式と実質的に同じ様式で、外科手術用ステープラー１２内で組み立てられ、そして管状組織セクションＴを通して駆動される。例えば、プッシャー１４４がステープル７０をステープルポケット１４２から駆動し、ステープルプレート９８および組織Ｔに通す。その後、組織貫入先端８２および８４が、プラテン４０を通過して、外科手術用ステープルアセンブリ９６を組織Ｔの周りで完全に成形する。本明細書中上で注目されたように、外科手術用ステープルアセンブリ９６は、ステープルプレート９８の一定の圧力を組織Ｔに経時的に提供するための、付勢部材１００を備える。このことは、ステープルプレート８６およびプラテン４０による、ステープル留めされた組織Ｔに対する一定のレベルの圧縮力を確実にし、これによって、経時的に組織Ｔの構造的強度が低下し、そして組織Ｔの厚さが減少する場合に、管腔Ｌを通るあらゆる漏出を防止することを補助する。ここでまた、好都合なために、複数のステープルアセンブリ９６のうちの１つのみが、図に示されている。
【００６６】
具体的には図示されていないが、付勢部材１２８を備える外科手術用ステープルアセンブリ１２４は、外科手術用ステープルアセンブリ９６と実質的に同じように機能することが留意されるべきである。
【００６７】
種々の改変が、本明細書中に開示された実施形態に対してなされ得ることが理解される。例えば、開示されたプラテンは、他の形状および大きさであり得、そして必ずしも、このプラテンと一緒に使用されるステープルのバックスパンの全体の長さより長い必要はない。さらに、開示されたプラテンは、中心開口部を備えずに形成されて、ステープル留めされた組織セクションに対する圧縮のための、より大きい表面積を提供し得る。さらに、付勢部材がまた、プラテンに提供されて、このプラテンをステープルのレッグまたは組織貫入先端から離し、組織セクションに向けて推進し得、ステープル留めされた組織セクションに対して経時的に一定の圧力源を提供し得る。従って、上記説明は、限定と解釈されるべきではなく、単に、特定の実施形態の例示であると解釈されるべきである。当業者は、添付の特許請求の範囲の精神および範囲内で、他の改変を予測する。
【図面の簡単な説明】
【００６８】
【図１】図１は、圧縮が増大された外科手術用ステープルおよび関連するアンビルの１つの実施形態を組み込む外科手術用ステープラーの斜視図である。
【図２】図２は、アンビルおよびステープルアセンブリ構成要素を図示する、図１の拡大された細部領域である。
【図３】図３は、アンビルのステープル曲げポケットおよびステープルアセンブリのプラテンを図示する、図２の拡大された細部領域である。
【図４】図４は、プラテンをステープルポケットから離した、図３と類似の斜視図である。
【図５】図５は、形成前のステープルアセンブリの第一の実施形態の斜視図である。
【図６】図６は、図５のプラテンの側面図である。
【図７】図７は、組み立てられて成形された、図５のステープルアセンブリの側面図である。
【図８】図８は、成形前のステープルアセンブリの代替の実施形態の斜視図である。
【図９】図９は、成形された状態の図８のステープルアセンブリの側面図である。
【図１０】図１０は、成形前のステープルアセンブリの別の実施形態の斜視図である。
【図１１】図１１は、成形された状態の図１０のステープルアセンブリの側面図である。
【図１２】図１２は、組織セクションの周りに配置された、図１の外科手術用器具の斜視図である。
【図１３】図１３は、外科手術用ステープラーのアンビルとステープルヘッドとの間に捕捉された組織セクションの、部分的に断面で示された側面図である。
【図１４】図１４は、組織セクションを通して駆動されたステープルアセンブリのステープルを図示する、部分的に断面で示された側面図である。
【図１５】図１５は、組織セクションを固定しており、成形された状態にある、ステープルアセンブリの斜視図である。
【図１６】図１６は、組織セクションを通して駆動された、図８のステープルアセンブリの、部分的に断面で示された側面図である。
【図１７】図１７は、組織セクションを固定しており、成形された状態ある、図１６のステープルアセンブリの斜視図である。
【符号の説明】
【００６９】
１０  アンビル
１２  外科手術用ステープラー
１４  ピストルグリップハンドル
１６  細長部材
１８  アンビル支持体
２０  ステープルカートリッジ
２２  調節ノブ
２４  トリガ
２６  トリガロック
３０  ステープル成形ポケット
３６、３８  ステープル曲げポケット
４０  プラテン
４２、４６  穴
５０  開口部
【図１】
0005411463.tif 000002
【図２】
0005411463.tif 000003
【図３】
0005411463.tif 000004
【図４】
0005411463.tif 000005
【図５】
0005411463.tif 000006
【図６】
0005411463.tif 000007
【図７】
0005411463.tif 000008
【図８】
0005411463.tif 000009
【図９】
0005411463.tif 000010
【図１０】
0005411463.tif 000011
【図１１】
0005411463.tif 000012
【図１２】
0005411463.tif 000013
【図１３】
0005411463.tif 000014
【図１４】
0005411463.tif 000015
【図１５】
0005411463.tif 000016
【図１６】
0005411463.tif 000017
【図１７】
0005411463.tif 000018